(57)【要約】【課題】障害耐性を従来よりも高めた光通信システムを得ること。【解決手段】本発明にかかる光通信システムにおいて、中継装置（５）は、双方向リングネットワークの外部から信号を受信した場合、受信信号をコピーして双方向リングネットワーク上の２つの方向へ中継し、プライマリ接続装置（３）は、自身が属する２つの双方向リングネットワークのうちの上流リングにおいて正常に受信した信号の中の１つをコピーして下流リング上の２つの方向へ中継し、セカンダリ接続装置（４）は、上流リングにおいてプライマリ接続装置（３）を経由せずに受信した第１の信号、および下流リングにおいてプライマリ接続装置（３）を経由して受信した第２の信号のうち、正常に受信した一方の信号を選択して、下流リング上の第２の信号を受信した方向とは逆の方向へ中継することとした。【選択図】        図１
2010141817.tif 000002
【特許請求の範囲】
【請求項１】
複数の双方向リングネットワークを備え、各双方向リングネットワークは、第１の接続装置および第２の接続装置を介して他の双方向リングネットワークと接続された光通信システムであって、
前記双方向リングネットワークに属する通信装置のうち、前記接続装置以外の通信装置は、
自身が属する双方向リングネットワークの外部から信号を受信した場合、当該受信信号をコピーして２つの信号を生成し、それぞれの信号を当該双方向リングネットワーク上の２つの方向へ中継し、
前記第１の接続装置は、
自身が属する２つの双方向リングネットワークのうちの上流の双方向リングネットワーク（上流リング）において正常に受信した信号の中の１つをコピーして２つの中継信号を生成し、それぞれの中継信号を下流の双方向リングネットワーク（下流リング）上の２つの方向へ中継し、
前記第２の接続装置は、
前記上流リングにおいて前記第１の接続装置を経由せずに受信した第１の信号、および前記下流リングにおいて前記第１の接続装置を経由して受信した第２の信号のうち、正常に受信した一方の信号を選択して、下流リング上の前記第２の信号を受信した方向とは逆の方向へ中継する
ことを特徴とする光通信システム。
【請求項２】
前記第２の接続装置は、前記第１の信号を選択して下流リングへ中継する場合、当該信号の上流リングにおける中継も併せて行う
ことを特徴とする請求項１に記載の光通信システム。
【請求項３】
前記第１および第２の接続装置は、上流リングで受信した信号を下流リングへ中継する場合、信号を修正して伝送品質を改善した上で送信することを特徴とする請求項１または２に記載の光通信システム。
【請求項４】
請求項１、２または３に記載の第１の接続装置として動作することを特徴とする通信装置。
【請求項５】
請求項１、２または３に記載の第２の接続装置として動作することを特徴とする通信装置。
【請求項６】
複数の双方向リングネットワークを備え、各双方向リングネットワークは、第１の接続装置および第２の接続装置を介して他の双方向リングネットワークと接続された光通信システムにおいて、前記複数の双方向リングネットワークへの信号入力位置となる入力中継装置と信号出力位置となる出力中継装置との間の信号伝送経路を設定するネットワーク管理装置であって、
前記入力中継装置および前記出力中継装置が同じ双方向リングネットワークに属していない場合の信号伝送経路設定処理では、
前記入力中継装置に対し、自身が属している双方向リングネットワークの外部から受信した信号をコピーして２つの信号を生成し、生成した各信号を当該双方向リングネットワーク上の２つの方向へ中継するように指示を行い、
前記入力中継装置と前記出力中継装置との間に位置している第１の接続装置に対し、自身が属している２つの双方向リングネットワークのうちの上流の双方向リングネットワーク（上流リング）において正常に受信した信号の中の１つをコピーして２つの中継信号を生成し、それぞれの中継信号を下流の双方向リングネットワーク（下流リング）上の２つの方向へ中継するように指示を行い、
前記入力中継装置と前記出力中継装置との間に位置している第２の接続装置に対し、前記上流リングにおいて前記第１の接続装置を経由せずに受信した第１の信号、および前記下流リングにおいて前記第１の接続装置を経由して受信した第２の信号のうち、正常に受信した一方の信号を選択して、下流リング上の前記第２の信号を受信した方向とは逆の方向へ中継するように指示を行う
ことを特徴とするネットワーク管理装置。
【請求項７】
前記第２の接続装置に対し、前記第１の信号を選択して下流リングへ中継する場合には当該信号の上流リングにおける中継も併せて行うように指示する
ことを特徴とする請求項６に記載のネットワーク管理装置。
【発明の詳細な説明】
【技術分野】
【０００１】
本発明は、複数の双方向リングネットワークを備え、リングネットワーク間の接続を２つの通信装置で行う光通信システム、通信装置およびネットワーク管理装置に関する。
【背景技術】
【０００２】
リングネットワーク間の接続を２つの通信装置で行う従来の光通信システムの一つとして下記特許文献１に記載の波長多重光通信網が存在する。この波長多重光通信網では、マルチリングネットワークのリング間接続部分における障害迂回方法を特徴としている。具体的には、リング間の接続に２つの接続装置を用い、本来の接続装置の入力信号をコピーして、上流リングおよび下流リングの伝送路ともう一方の接続装置を用いた迂回路を用いて、本来の接続装置に中継し、本来の接続装置は、上流リングからの入力信号とコピーされ迂回路を経由した入力信号の２つのうち、正常に受信されている信号を下流リングに中継することによって、本来の中継装置内のリング間接続部分で故障が発生しても、下流リングに信号が中継されるようにしている。
【０００３】
また、障害発生時の動作に特徴を有する光通信システムの他の例が下記特許文献２に記載されている。このシステムでは、単一のリング内で迂回路を形成できる障害についてはリング切替機能で障害回復し、接続装置の故障といったリング切替機能では対応できない障害発生時には、リング切替機能を抑止し、パスのルートを変更するレストレーション等を行うことで障害回復を行っている。
【０００４】
【特許文献１】特開２００１−０５３７７３号公報
【特許文献２】特開２００２−２３２４４２号公報
【発明の開示】
【発明が解決しようとする課題】
【０００５】
従来のマルチリングネットワークのリング接続部の障害回復は、リング切替機能による障害回復を行う場合は下流のリングに信号を入力する中継装置は１つであり、この中継装置が故障した場合、１つの故障で下流への中継が停止してしまうという問題点があった。また、パスの経路を変更することで障害回復する場合は、個々のリングで実施されるリング切替機能との調停を行い、新しい経路上の中継装置のスイッチ設定を変更するなどの処理が必要となり、障害回復までの時間がリング切替機能による障害回復時と比較して長くなるという問題点があった。
【０００６】
本発明は、上記に鑑みてなされたものであって、障害耐性を従来よりも高めた光通信システム、通信装置およびネットワーク管理装置を得ることを目的とする。
【課題を解決するための手段】
【０００７】
上述した課題を解決し、目的を達成するために、本発明は、複数の双方向リングネットワークを備え、各双方向リングネットワークは、第１の接続装置および第２の接続装置を介して他の双方向リングネットワークと接続された光通信システムであって、前記双方向リングネットワークに属する通信装置のうち、前記接続装置以外の通信装置は、自身が属する双方向リングネットワークの外部から信号を受信した場合、当該受信信号をコピーして２つの信号を生成し、それぞれの信号を当該双方向リングネットワーク上の２つの方向へ中継し、前記第１の接続装置は、自身が属する２つの双方向リングネットワークのうちの上流の双方向リングネットワーク（上流リング）において正常に受信した信号の中の１つをコピーして２つの中継信号を生成し、それぞれの中継信号を下流の双方向リングネットワーク（下流リング）上の２つの方向へ中継し、前記第２の接続装置は、前記上流リングにおいて前記第１の接続装置を経由せずに受信した第１の信号、および前記下流リングにおいて前記第１の接続装置を経由して受信した第２の信号のうち、正常に受信した一方の信号を選択して、下流リング上の前記第２の信号を受信した方向とは逆の方向へ中継することを特徴とする。
【発明の効果】
【０００８】
この発明によれば、従来よりも障害耐性を高めることができ、また、障害が発生から回復までに要する時間を短縮化できる、という効果を奏する。
【発明を実施するための最良の形態】
【０００９】
以下に、本発明にかかる光通信システム、通信装置およびネットワーク管理装置の実施の形態を図面に基づいて詳細に説明する。なお、この実施の形態によりこの発明が限定されるものではない。
【００１０】
実施の形態１．
図１は、本発明にかかる光通信システムの構成例を示す図である。この光通信システムは、マルチリングネットワーク通信システムであり、入力中継装置１、出力中継装置２、プライマリ接続装置３、セカンダリ接続装置４、複数の中継装置５、管理装置１００および管理ネットワーク２００を含み、入力中継装置１、プライマリ接続装置３、セカンダリ接続装置４および一部の中継装置５が光ケーブルペア６で接続され、上流リング（上流の双方向リングネットワーク）を形成している。また、出力中継装置２、プライマリ接続装置３、セカンダリ接続装置４および一部の中継装置５が光ケーブルペア６で接続され、下流リング（下流の双方向リングネットワーク）を形成している。
【００１１】
入力中継装置１は中継装置５のうち信号９の入力地点に選ばれた装置で、信号９を波長多重化して光ケーブルペア６で送信する中継装置である。出力中継装置２は中継装置５のうち信号９の出力地点に選ばれた装置で、マルチリングネットワーク（複数のリングネットワークを接続して実現されたネットワーク、図１の例では上流リングおよび下流リングからなるネットワークに相当）内を波長多重化されて中継された信号９を分離して、マルチリングネットワークの外部に出力する中継装置である。プライマリ接続装置３は上流リングを中継された信号９を一旦分離し、下流リングに再度波長多重化して送信する、信号９のプライマリの接続中継装置である。セカンダリ中継装置４は上流リングを中継された信号９を一旦分離し、下流リングに再度波長多重化して送信する、信号９のセカンダリの接続中継装置である。中継装置５は入力中継装置１、出力中継装置２、プライマリ接続装置３、セカンダリ接続装置４と光ケーブルペア６で接続され、上流リングまたは下流リングを構成して信号を中継する中継装置である。光ケーブルペア６は各中継装置で波長多重化された信号を２つの経路（East周りの経路とWest周りの経路）で伝達する２本の通信ケーブルのペアである。
【００１２】
上流リングおよび下流リングは、信号９が通過するマルチリングネットワークを構成するリングネットワークであり、信号９の通過する経路上、上流に位置するリングネットワークが上流リング、下流に位置するリングネットワークが下流リングである。信号９は入力中継装置１においてマルチリングネットワークに入力され、マルチリングネットワーク内を中継され、出力中継装置２においてマルチリングネットワークから出力される光信号、管理装置１００はユーザの入力に従い信号の中継経路を決定し管理ネットワーク２００を用いてマルチリングネットワーク内の各装置の設定を行う管理装置、管理ネットワーク２００はマルチリングネットワーク内の各装置と管理装置１００を接続する通信ネットワークである。
【００１３】
図２は、図１に示した構成の光通信システム内のマルチリングネットワークにおける信号９の伝達経路を示した経路図であり、図１で示した構成と同じ部分には同一の符号を付している。ただし、図１で示した中継装置５については、わかりやすくするために省略している。また、信号９ａは信号９のマルチリングネットワークへの入力時の信号、信号９ｂは信号９のマルチリングネットワークからの出力時の信号、プライマリ信号１０は入力中継装置１で２つにコピーされた信号９ａの１つであり、セカンダリ信号１１は入力中継装置１で２つにコピーされた信号９ａのもう１つ（プライマリ信号１０として扱われていない方の信号９ａ）である。
【００１４】
図３は、プライマリ接続装置３およびセカンダリ接続装置４の内部構成図である。これらの各接続装置の構成要素は同一であるが、各構成要素の接続が一部異なる。各接続装置内における各構成要素の接続状態については、後述する。図示したように、これらの各接続装置は、複数のAdd/Drop機能部１２ａ，１２ｂ，１２ｃ，１２ｄとスイッチ１３とカプラ１４とを備え、Add/Drop機能部１２ａ〜１２ｄには、光ケーブル６ａ〜６ｄがそれぞれ接続されている。
【００１５】
また、光ケーブル６ａは上流リングを構成する光ケーブルペア６の２本のケーブルのうちWest周り（第１の方向）に信号を伝達する光ケーブル、光ケーブル６ｂは上流リングを構成する光ケーブルペア６の２本のケーブルのうちEast周り（第２の方向）に信号を伝達する光ケーブルである。光ケーブル６ｃは下流リングを構成する光ケーブルペア６の２本のケーブルのうちWest周りに信号を伝達する光ケーブル、光ケーブル６ｄは下流リングを構成する光ケーブルペア６の２本のケーブルのうちEast周りに信号を伝達する光ケーブルである。Add/Drop機能部１２ａ〜１２ｄは光ケーブルから受信した波長多重化された信号から個別の信号を分離して出力する機能および入力された信号を波長多重化して光ケーブルに送信する機能を有する。スイッチ１３は２×１スイッチであり、２つの受信ポートと１つの送信ポートを持ち、２つの受信ポートで受信された信号の正常性を確認して正常に受信されている信号の１つを選択して送信ポートから出力する。カプラ１４は入力された信号をコピーして２つの送信ポートから出力する。
【００１６】
図４は、プライマリ接続装置３の内部接続図であり、具体的には、図１に示した構成のマルチリングネットワーク通信システムを実現する場合の内部接続図である。図４では、図３で示した構成要素と同じ部分に同一の符号を付している。
【００１７】
図５は、セカンダリ接続装置４の内部接続図であり、具体的には、図１に示した構成のマルチリングネットワーク通信システムを実現する場合の内部接続図である。図５では、図３で示した構成要素と同じ部分に同一の符号を付している。
【００１８】
つづいて、マルチリングネットワーク通信システムの動作について説明する。まず、管理装置１００がネットワークの設定を行う場合の動作について説明する。ネットワークの設定を行う場合、最初に、管理装置１００でユーザが信号の入力地点と出力地点を指定することで、中継装置５のうち入力中継装置１として動作する装置と出力中継装置２として動作する装置とを決定する。入力中継装置１および出力中継装置２を決定すると、次に管理装置１００は、システム内の入力中継装置１と出力中継装置２が同一のリングに属するかどうかを判断する。同一のリングに属している場合、管理装置１００は使用可能な波長を決定する。そして、管理装置１００は入力中継装置１に対し、入力信号（入力された信号９）をコピーし、決定した波長で波長多重化してWest周りとEast周りの両方に出力（Add）するように指示する。更に、管理装置１００は出力中継装置２に対し、West周りとEast周りの光ケーブルを経由して受信した信号それぞれについて、決定した波長を分離（Drop）して正常性を確認し、正常に受信されている信号のうちの１つを外部に出力するように指示する。更に、当該リングに属する他の装置、すなわち入力中継装置１および出力中継装置２とともにリングネットワークを形成している中継装置５および接続装置には決定された波長をリング内で中継するように指示する。このようにすることで、入力中継装置１に入力された信号は出力中継装置２にWest周りの経路とEast周りの経路の２つの経路で中継され、外部に出力される。
【００１９】
また、図１を参照しながら、上記決定した入力中継装置１と出力中継装置２が同一リングに属していない場合の設定動作を説明する。入力中継装置１と出力中継装置２が同一リングに属していないと判断すると、管理装置１００は信号を中継すべきリングを決定する。図１では、上流リングと下流リングの２つのリングが決定された例を示している。次に各リングで使用可能な波長のうち、全てのリングで使用可能な波長を選択する。そして、管理装置１００は入力中継装置１に対し、入力信号（入力された信号９）をコピーし、決定した波長で波長多重化してWest周りとEast周りの両方に出力（Add）するように指示する。
【００２０】
そして、管理装置１００は上流リングの残りの装置について設定を行う。まず、上流リングと下流リングを接続する接続装置のうち、プライマリ接続装置３とセカンダリ接続装置４を決定する。決定する方法は、例えば、上流リングにおいてWest側にある装置をプライマリとする方法や、該当リングへの信号の入力地点、図１の場合では入力中継装置１からの伝送距離が短いほうの装置をプライマリとする方法等々がある。プライマリ接続装置３とセカンダリ接続装置４が決定したら、管理装置１００は、プライマリ接続装置３については図４に示した接続を、セカンダリ接続装置４については図５に示した接続を行うように、それぞれ指示する。そして、上流リングの残りの中継装置５に対し、決定された波長をリング内で中継するように指示する。なお、プライマリ接続装置３およびセカンダリ接続装置４における接続設定の詳細については後述する。
【００２１】
上流リングの残りの装置についての設定が完了すると、さらに、下流リングに接続されたリングの装置について設定を行う。まず、管理装置１００は下流リングに出力中継装置２が属するか否かを確認する。出力中継装置２が属さない場合は、上流リングと同様の処理を繰り返す。図１の例では下流リングには出力中継装置２が属しているため、接続装置の処理は必要なく、管理装置１００は出力中継装置２以外の中継装置５に対し、決定された波長をリング内で中継するように指示する。
【００２２】
最後に、管理装置１００は出力中継装置２に対し、West周りとEast周りの光ケーブルの信号それぞれについて、決定した波長を分離（Drop）して正常性を確認し、正常に受信されている信号のうちの１つを外部に出力するように指示する。
【００２３】
管理ネットワーク２００を介して管理装置１００の指示を受け取ったそれぞれの装置は、指示に従って設定を行う。尚、各装置で行われる設定は、管理装置１００の指示に従い、人がケーブルの配置を行っても良い。
【００２４】
ここで、プライマリ接続装置３およびセカンダリ接続装置４における内部接続設定動作について説明する。
【００２５】
管理装置１００から上記の指示を受けたプライマリ接続装置３では、図４に示した内部接続を行う場合、まず、上流リングのWest周りの光ケーブル６ａ経由で受信したプライマリ信号１０をAdd/Drop機能部１２ａで光多重化された信号から分離（Drop）し、スイッチ１３に入力するように設定する。次に、上流リングのEast周りの光ケーブル６ｂ経由で受信したセカンダリ信号１１をAdd/Drop機能部１２ｂで光多重化された信号から分離（Drop）し、スイッチ１３に入力する。次に、スイッチ１３の出力をカプラ１４に入力するように設定する。尚、スイッチ１３は、初期設定としてプライマリ信号１０を出力するように設定すると良い。また、カプラ１４で２つにコピーした信号のうち、一方はAdd/Drop機能部１２ｃに入力して光多重化（Add）して下流リングのWest周りの光ケーブル６ｃに出力するようにし、もう一方はAdd/Drop機能部１２ｄに入力して光多重化（Add）して下流リングのEast周りの光ケーブル６ｄに出力するように設定する。このように設定することで、上流リングからプライマリ信号１０が正常に受信されている場合は、下流リングのWest周りとEast周りの光ケーブル両方にプライマリ信号１０が送信され、プライマリ信号１０が受信できなくなった場合は、スイッチ１３が切り替わってセカンダリ信号１１を出力するようになり、下流リングのWest周りとEast周りの光ケーブル両方にセカンダリ信号１１が出力されるようになる。
【００２６】
また、管理装置１００から上記の指示を受けたセカンダリ接続装置４では、図５に示した内部接続を行う場合、まず、上流リングのEast周りの光ケーブル６ｂ経由で受信したセカンダリ信号１１をAdd/Drop機能部１２ｂで光多重化された信号から分離（Drop）し、カプラ１４に入力するように設定する。また、カプラ１４で２つにコピーされた信号のうち、一方はAdd/Drop機能部１２ｂに再入力して光多重化（Add）を行って上流リングのEast周りの光ケーブル６ｂに出力し、もう一方はスイッチ１３に入力するように設定する。次に、下流リングのWest周りの光ケーブル６ｃ経由で受信したプライマリ信号１０をAdd/Drop機能部１２ｃで光多重化された信号から分離（Drop）し、スイッチ１３へ入力するように設定する。尚、スイッチ１３は、初期設定としてセカンダリ信号１１を出力するようにすると良い。次に、スイッチ１３の出力をAdd/Drop機能部１２ｃに再入力して光多重化（Add）して下流リングのWest周りの光ケーブル６ｃに出力するように設定する。このように設定することで、上流リングからセカンダリ信号１１が正常に受信されている場合は、下流リングのWest周りの光ケーブル６ｃにセカンダリ信号１１が送信され、セカンダリ信号１１が受信できなくなった場合はスイッチ１３が切り替わってプライマリ信号１０が出力するようになり、下流リングのWest周りの光ケーブル６ｃにプライマリ信号１０が出力されるようになる。
【００２７】
すべての装置について設定が終了すると、信号９は図２に示した経路でマルチリングネットワーク内を中継される。具体的には、上流リングに入力された信号９ａは入力中継装置１から上流リングのWest周り（プライマリ信号１０）とEast周り（セカンダリ信号１１）の両方にコピーされて送信され、それぞれプライマリ接続装置３に到達する。プライマリ接続装置３は下流リング７のWest周りとEast周りにプライマリ信号１０を送信する。また、セカンダリ接続装置４には上流リングのEast周りでセカンダリ信号１１が到達し、また、プライマリ接続装置３により中継されたプライマリ信号１０が下流リングのWest周りで到達し、そのうちのセカンダリ信号１１を上流リングのEast周りと下流リングのWest周りに送信する。結果として、出力中継装置２にはプライマリ信号１０とセカンダリ信号１１の両方が到達し、そのうちの１つが選択されてマルチリングネットワークの外部に出力される。
【００２８】
つづいて、図１に示したシステムにおいて障害が発生した場合の切替動作（回復動作）について説明する。
【００２９】
まず、上流リングのプライマリ信号１０の経路上で障害が発生した場合の切替動作を図６および図７に基づいて説明する。図６は、上流リングのプライマリ信号１０の経路上（図２参照）で障害が発生した場合の経路図であり、図７は、その場合のプライマリ接続装置３の内部接続図である。なお、図６および図７では、図２および図４と同じ部分に同一の符号を付している。また、図６では、上流リングのプライマリ信号１０の経路上で障害が発生後、さらに下流リングの経路上で障害が発生した場合の経路を示している。
【００３０】
上流リングのプライマリ信号１０の経路上で障害が発生した場合、プライマリ接続装置３ではプライマリ信号１０の受信が中断する（プライマリ接続装置３までプライマリ信号１０が到達しない）。この場合、図７に示したように、スイッチ１３が信号の中断を検出して直ちに切り替えを行いセカンダリ信号１１の出力を開始する。セカンダリ接続装置４では中継動作は変更されない。その結果、下流リングのWest周りの経路とEast周りの経路の両方にセカンダリ信号１１が送信されるようになるので、図６に示したように、下流リングのWest周りの経路もしくはEast周りの経路のいずれかに更に障害が発生しても、セカンダリ信号１１が出力中継装置２に到達し、信号９ｂとして外部に出力される。
【００３１】
次に、上流リングのセカンダリ信号１１の経路上で障害が発生した場合の切替動作を図８および図９に基づいて説明する。図８は、上流リングのセカンダリ信号１１の経路上で障害が発生した場合の経路図であり、図９は、その場合のセカンダリ接続装置４の内部接続図である。なお、図８および図９では、図２および図５と同じ部分に同一の符号を付している。また、図８では、上流リングのセカンダリ信号１１の経路上で障害が発生後、さらに下流リングの経路上で障害が発生した場合の経路を示している。
【００３２】
上流リングのセカンダリ信号１１の経路上で障害が発生した場合、セカンダリ接続装置４ではセカンダリ信号１１の受信が中断する（セカンダリ接続装置４までセカンダリ信号１１が到達しない）。そのため、図９に示したように、スイッチ１３が信号の中断を検出して直ちに切り替えを行いプライマリ信号１０の出力を開始する。プライマリ接続装置３では中継動作は変更されない。その結果、下流リングのWest周りの経路にはプライマリ信号１０が送信されるようになる（下流リングのWest周りとEast周りの両方にプライマリ信号１０が送信されるようになる）ので、図８に示したように、下流リングのWest周りの経路もしくはEast周りの経路のいずれかに更に障害が発生しても、プライマリ信号１０が出力中継装置２に到達し、信号９ｂとして外部に出力される。
【００３３】
次に、プライマリ接続装置３に障害が発生した場合の動作について図１０を参照しながら説明する。なお、図１０は、プライマリ接続装置３に障害が発生した場合の経路図であり、図２と同じ部分に同一の符号を付している。
【００３４】
図１０に示したように、プライマリ接続装置３に障害が発生した場合、セカンダリ接続装置４では、プライマリ信号１０の受信が中断するがセカンダリ信号１１は受信されるため、上流リングから下流リングへの信号（セカンダリ信号１１）の中継は継続される。したがって、出力中継装置２ではプライマリ信号１０の受信が中断するがセカンダリ信号１１の受信は中断されないので、セカンダリ信号１１が信号９ｂとして外部に出力される。
【００３５】
次に、セカンダリ接続装置４に障害が発生した場合の動作について図１１を参照しながら説明する。なお、図１１は、セカンダリ接続装置４に障害が発生した場合の経路図であり、図２と同じ部分に同一の符号を付している。
【００３６】
図１１に示したように、セカンダリ接続装置４に障害が発生した場合、プライマリ接続装置３では、セカンダリ信号１１の受信が中断するがプライマリ信号１０は受信されるため、上流リングから下流リングへの信号（プライマリ信号１０）の中継は継続される。したがって、出力中継装置２ではセカンダリ信号１１の受信が中断するがプライマリ信号１０の受信は中断されないので、プライマリ信号１０が信号９ｂとして外部に出力される。
【００３７】
次に、プライマリ接続装置３とセカンダリ接続装置４の間の上流リングと下流リングの両方の経路で障害が発生した場合の動作について図１２を参照しながら説明する。なお、図１２は、プライマリ接続装置３とセカンダリ接続装置４の間の上流リングと下流リングの両方の経路で障害が発生した場合の経路図であり、図２と同じ部分に同一の符号を付している。
【００３８】
図１２に示したように、プライマリ接続装置３とセカンダリ接続装置４の間の上流リングと下流リングの両方の経路で障害が発生した場合、プライマリ接続装置３ではセカンダリ信号１１の受信が中断するが、プライマリ信号１０は受信されるため、プライマリ信号１０の下流リングへの中継は継続される。また、セカンダリ接続装置４ではプライマリ信号１０の受信が中断するが、セカンダリ信号１１は受信されるため、セカンダリ信号１１の下流リングへの中継は継続される。したがって、出力中継装置２には障害発生以前と同様、プライマリ信号１０とセカンダリ信号１１が共に到達し、プライマリ信号１０を信号９ｂとして出力する動作が継続される。
【００３９】
このように、本実施の形態の光通信システム（マルチリングネットワーク通信システム）では、２つの接続装置を用いて上流リングと下流リングを接続し、これらの接続装置であるプライマリ接続装置３およびセカンダリ接続装置４は、異なる２つの経路から入力された同じ信号（プライマリ信号１０とセカンダリ信号１１）のうち正常に受信している方の信号をコピーして、入力経路とは異なる２つの経路に中継するようにした。これにより、２つの接続装置の一方で障害が発生した場合も、残りの接続装置内の２×１スイッチの切り替えのみで高速に下流リングへの信号中継を再開できる。また、上流リングの入力ノード（入力中継装置１）から各接続装置に至る経路のうちの１つで障害が発生し、さらに、下流リングの各接続装置から出力ノード（出力中継装置２）に至る経路のうちの１つで障害が発生した場合であっても、信号は出力中継装置２を経由し外部に出力される（上流リングに入力された信号は、下流リングから正常に出力される）。
【００４０】
実施の形態２．
実施の形態１で示した光通信システムは、上流リングの信号を直接下流リングに中継するようにしたものであるが、本実施の形態では、上流リングからの信号を直接下流リングに送信すると十分な伝送品質が確保できない場合に接続装置で３Ｒ中継する光通信システムについて示す。なお、以下の説明では、実施の形態１と異なる構成および動作についてのみ示す。
【００４１】
図１３は、実施の形態２にかかるプライマリ接続装置の内部接続図である。図示したように、本実施の形態のプライマリ接続装置３ａは、図４に示した実施の形態１のプライマリ接続装置３に対して３Ｒ変換部２０ａおよび２０ｂが追加された構成をとる。３Ｒ変換部２０ａおよび２０ｂは、入力された信号を一旦終端して修正を行うことで伝送品質を改善して出力する信号変換処理を実行する。修正処理では、信号の増幅、波形整形、タイミング調整などを行う。
【００４２】
また、図１４は、実施の形態２にかかるセカンダリ接続装置の内部接続図である。図示したように、本実施の形態のセカンダリ接続装置４ａは、図５に示した実施の形態１のセカンダリ接続装置４に対して３Ｒ変換部２０ｃが追加された構成をとる。３Ｒ変換部２０ｃは、上記の３Ｒ変換部２０ａおよび２０ｂと同じ機能を有し、入力信号を修正し、修正後の信号を出力する。
【００４３】
図１３に示したプライマリ接続装置３ａでは、実施の形態１で説明したプライマリ接続装置３と同様に、上流リングからプライマリ信号１０とセカンダリ信号１１をAdd/Drop機能部１２ａおよび１２ｂで分離（Drop）するが、これらの分離された信号をスイッチ１３に入力する前にそれぞれ３Ｒ変換部２０ａおよび２０ｂを用いて修正する。３Ｒ変換部２０ａおよび２０ｂは、入力信号の修正処理を実行して得られた修正後の信号をスイッチ１３に対して出力する。これ以外の部分については実施の形態１と同一である。
【００４４】
また、図１４に示したセカンダリ接続装置４ａでは、実施の形態１で説明したセカンダリ接続装置４と同様に、上流リングからセカンダリ信号１１を分離（Drop）し、カプラ１４で２つにコピーするが、このうちのスイッチ１３へ向けて出力された信号をスイッチ１３に入力する前に３Ｒ変換部２０ｃを用いて修正する。３Ｒ変換部２０ｃは、入力信号の修正処理を実行して得られた修正後の信号をスイッチ１３に対して出力する。これ以外の部分については実施の形態１と同一である。
【００４５】
このように、本実施の形態の光通信システム（マルチリングネットワーク通信システム）では、上流リングから下流リングに中継される信号に対し、リングネットワークを接続する各接続装置（プライマリ接続装置３ａ，セカンダリ接続装置４ａ）のうちのいずれかにおいて、修正することとした。すなわち、上流リングから下流リングへ信号を中継する際に３Ｒ中継を行うこととした。これにより、上流リングで信号劣化した場合でも実施の形態１と同様に２×１スイッチの切替動作のみで障害回復が可能となる。
【００４６】
なお、上記の実施の形態１および２では、マルチリングネットワークを構成する双方向リングネットワークが２つの場合について説明を行ったが、３つ以上の場合であっても同様に、リング間の接続を２つの接続装置を用い、各接続装置を各実施の形態で示したように設定する（上述したプライマリ接続装置およびセカンダリ接続装置のいずれか一方の動作を行うように設定する）ことにより、障害耐性を高めた通信システムが実現できる。また、双方向リングネットワークが３つ以上の場合には、リング間の接続部ごとに、実施の形態１で示した２つの接続装置と実施の形態２で示した２つの接続装置とを使い分けるようにしてもよい。すなわち、マルチリングネットワークにおいて、一部の接続装置のみが、実施の形態２のプライマリ接続装置３ａやセカンダリ接続装置４ａと同様に、受信信号を修正した上で中継するような構成としてもよい。
【産業上の利用可能性】
【００４７】
以上のように、本発明にかかる光通信システムは、マルチリングネットワーク通信システムに有用であり、特に、障害耐性を向上させたシステムを実現する場合に適している。
【図面の簡単な説明】
【００４８】
【図１】本発明にかかる光通信システムの構成例を示す図である。
【図２】マルチリングネットワークにおける信号の伝達経路を示した経路図である。
【図３】プライマリ接続装置およびセカンダリ接続装置の内部構成図である。
【図４】プライマリ接続装置の内部接続図である。
【図５】セカンダリ接続装置の内部接続図である。
【図６】上流リングのプライマリ信号の経路上で障害が発生した場合の経路図である。
【図７】障害が発生した場合のプライマリ接続装置の内部接続図である。
【図８】上流リングのセカンダリ信号の経路上で障害が発生した場合の経路図である。
【図９】障害が発生した場合のセカンダリ接続装置の内部接続図である。
【図１０】プライマリ接続装置に障害が発生した場合の経路図である。
【図１１】セカンダリ接続装置に障害が発生した場合の経路図である。
【図１２】プライマリ接続装置とセカンダリ接続装置の間の上流リングと下流リングの両方の経路で障害が発生した場合の経路図である。
【図１３】実施の形態２にかかるプライマリ接続装置の内部接続図である。
【図１４】実施の形態２にかかるセカンダリ接続装置の内部接続図である。
【符号の説明】
【００４９】
１  入力中継装置
２  出力中継装置
３、３ａ  プライマリ接続装置
４、４ａ  セカンダリ接続装置
５  中継装置
６  光ケーブルペア
６ａ〜６ｄ  光ケーブル
１０  プライマリ信号
１１  セカンダリ信号
１２ａ〜１２ｄ  Add/Drop機能部
１３  スイッチ
１４  カプラ
２０ａ〜２０ｃ  ３Ｒ変換部
１００  管理装置
２００  管理ネットワーク
【図１】
2010141817.tif 000003
【図２】
2010141817.tif 000004
【図３】
2010141817.tif 000005
【図４】
2010141817.tif 000006
【図５】
2010141817.tif 000007
【図６】
2010141817.tif 000008
【図７】
2010141817.tif 000009
【図８】
2010141817.tif 000010
【図９】
2010141817.tif 000011
【図１０】
2010141817.tif 000012
【図１１】
2010141817.tif 000013
【図１２】
2010141817.tif 000014
【図１３】
2010141817.tif 000015
【図１４】
2010141817.tif 000016